(57)【要約】【課題】  設備費及びランニングコストが共に割安な除塵加湿装置を得るにある。【解決手段】  加湿槽の吸収水上部空間を、前記吸収水水面の上方で終端されるそらせ板で室内空気導入室及び加湿室に分割し、前記室内空気導入室と前記加湿調整室の間は前記下端部下に位置されると共に下部を前記吸収水中に浸漬された加湿槽幅方向の風水車で区画され、同風水車には室内空気導入室中に対向設置された反動スプレーからの吹付け水並びに前記加湿室に連結される排気ブロアの負圧により回転力が与えられてミスト水が発生される除塵加湿装置。【選択図】       図１
2006313035.tif 000002
【特許請求の範囲】
【請求項１】
内底部に吸収水が張られて一端から乾燥した室内空気が導入されかつ他端から加湿空気が外部へ放出される加湿槽の吸収水上部空間を、そらせ板で室内空気導入室及び加湿室に分割し、前記室内空気導入室中に位置されたスプレーノズルからの捕集水の散布及び供給側フィルタでの露結により加えられた室内空気中の水分を結露させ、前記加湿調整室中の排出側フィルタで余剰水分を除去する除塵加湿装置であって、前記そらせ板の下端部は前記吸収水水面の上方で終端され、前記室内空気導入室と前記加湿調整室の間は前記下端部下に位置されると共に下部を前記吸収水中に浸漬された加湿槽幅方向の風水車で区画され、同風水車には室内空気導入室中に対向設置された反動スプレーからの吹付け水並びに前記加湿室に連結される排気ブロアの負圧により回転力が与えられてミストが発生されることを特徴とする除塵加湿装置。
【請求項２】
前記風水車は加湿槽に対して幅方向に架設した支持軸を中心として回転でき、同支持軸の放射方向に延長された複数のベーンとこれらのベーン間を繋ぐ両端シュラウドとを備えることを特徴とする請求項１記載の除塵加湿装置。
【請求項３】
前記加湿槽には、前記吸収水に浸漬される補助ヒータが付設され、同補助ヒータに対する加温により低温時の絶対加湿量が増大されることを特徴とする請求項１または請求項２に記載の除塵加湿装置。
【発明の詳細な説明】
【技術分野】
【０００１】
本発明は工場や倉庫内の室内湿度を略一定の湿度状態に保つ除塵加湿装置に関する。
【背景技術】
【０００２】
周知のように、高湿度環境下での操業を行う工場や紙ロール等の紙類を保管する倉庫においては、倉庫内の室内空気を常に約６５％程度の湿度状態に保つ必要がある。
このため、このような保管倉庫においては、電気ヒータによる上記発生シリンダを複数基倉庫内等に付設し、発生蒸気により庫内湿度を略一定湿度に保っている。
【特許文献１】特開平０８−０５６８５５
【発明の開示】
【発明が解決しようとする課題】
【０００３】
しかしながら、このような電気ヒータを組み込んだ蒸気発生シリンダの寿命は、約２，０００時間程度であるため、２４時間運転の場合、８４日、つまり２．８ヶ月に１回は交換しなければならない。
また、運搬用トラックがひんぱんに出入りする倉庫では、外気と室内空気の交換割合が高く、平均１４．５ＫＷ／日程度の電力を消費し、ランニングコストが非常に割高なものとなる。
【０００４】
本発明の目的は、以上に述べたような従来の蒸気発生シリンダの問題に鑑み、設備費及びランニングコストが共に割安な除塵加湿装置を得るにある。
【課題を解決するための手段】
【０００５】
この目的を達成するため、本発明は、内底部に吸収水が張られて一端から乾燥した室内空気が導入されかつ他端から加湿空気が外部へ放出される加湿槽の吸収水上部空間を、そらせ板で室内空気導入室及び加湿室に分割し、前記室内空気導入室中に位置されたスプレーノズルからの捕集水の散布及び供給側フィルタでの露結により加えられた室内空気中の水分を結露させ、前記加湿調整室中の排出側フィルタで余剰水分を除去する除塵加湿装置であって、前記そらせ板の下端部は前記吸収水水面の上方で終端され、前記室内空気導入室と前記加湿調整室の間は前記下端部下に位置されると共に下部を前記吸収水中に浸漬された加湿槽幅方向の風水車で区画され、同風水車には室内空気導入室中に対向設置された反動スプレーからの吹付け水並びに前記加湿室に連結される排気ブロアの負圧により回転力が与えられてミストが発生される除塵加湿装置を提案するものである。
【発明の効果】
【０００６】
本発明によれば、圧送吸収水の一部で回転される風水車で室内空気導入室中の空気の掻き出しと加湿調整室中での処理後の空気排出を行わせるので、設備費及びランニングコストが共に割安な除塵加湿装置を得ることができる。
【発明を実施するための最良の形態】
【０００７】
後述する本発明の好ましい実施例の説明においては、
１）前記風水車は加湿槽に対して幅方向に架設した支持軸を中心として回転でき、同支持軸の放射方向に延長された複数のベーンとこれらのベーン間を繋ぐ両端シュラウドとを備える構造、
２）前記加湿槽には、前記吸収水に浸漬される補助ヒータが付設され、同補助ヒータに対する加温により低温時の絶対加湿量が増大される構造
が説明される。
【実施例１】
【０００８】
以下、図１及び図２について本発明の実施例の詳細を説明する。
図１は本発明による除塵加湿装置の全体図であり、一端に吸気口２をもつ加湿槽1の内底部には吸収水Ｗが張られ、同加湿槽1の他端から加湿調整後の空気が排気ブロア４により室内に戻される。
【０００９】
また、前記加湿槽1の内部空間は傾斜そらせ板５により室内空気導入室ＳＲ及び処理後の浄化空気を収容する加湿調整室ＥＲに分割されるが、このそらせ板５の下端部５ａは吸収水Ｗの水面レベルよりも高い位置で終端される。
前記そらせ板５の下端部と吸収水Ｗとの間には、加湿調整室ＥＲ側に配置される風水車１３が配置され、この風水車１３の回転運動により室内空気導入室ＳＲ中の空気が加湿調整室ＥＲ中へ掻き出されるけれども、風水車１３の構造及び駆動方法については後述する。
【００１０】
前述した室内空気導入室ＳＲの室内空気には室内空気導入室ＳＲの上部に配置される複数のスプレーノズル６から噴霧される水噴霧で水分が加えられる。この場合、室内空気に含まれる塵埃等の異物が霧状の水噴霧中に吸収され、供給側フィルタ１０を通過する際に捕集され、僅かに傾斜した供給側フィルタ１０から滴下して吸収水Ｗに吸収される。
そして、室内空気導入室ＳＲ中で水分を加えられた空気は風水車１３の掻き出し運動に伴って加湿調整室ＥＲ中に到達し、同加湿調整室ＥＲ中の排出側フィルタ１１を通過する間に余剰水分を除かれて排出ブロア１２の吸引により室内へ排出されることになる。
【００１１】
加湿槽1中での水面レベルを略一定に保つため、ポンプ（図示せず）を内蔵する定水位装置８が加湿槽１に付設される。この定水位装置８には補給弁８ａが付設され、加湿槽１中の水面低下の場合、同補給弁８ａから吸収水Ｗが補給される。
また、定水位装置８の反対側には循環ポンプ９が設けられ、この循環ポンプ９の取入側パイプは加湿槽１中の吸収水Ｗに結合され、吐出側パイプはスプレーノズル６に結合されて吸収水Ｗを循環させる。さらに、循環ポンプ９の吐出側パイプは詳細を後述する反動スプレー１５，１６に結合され、これらの反動スプレー１５，１６からのスプレーの反動により風水車１３が回転される。
【００１２】
図２から理解されるように、風水車１３は加湿槽1の幅方向に掛け渡される支持軸１４を中心として自由に回転できるように支持されたスリーブ１３ａを有し、このスリーブ１３ａの周面には放射方向に延長した複数のベーン１３ｂが固定される。また、これらのベーン１３ｂの端部は加湿槽1の側壁に近接されるシュラウド１３cに固定されるから、この風水車１３の存在により室内空気導入室ＳＲと加湿調整室ＥＲとが気密的に隔絶される。
【００１３】
また、前記室内空気導入室ＳＲの下部には風水車１３のベーン１３に向かって循環水を噴射できる反動スプレー１５，１６が付設され、この反動スプレー１５、１６に対しては前述したように循環ポンプ９で圧送される吸収水の一部が分与される。
【００１４】
したがって、この反動スプレー１５，１６からの噴射水の反動により風水車１３が回転され、この風水車１３の回転に伴って室内空気導入室ＳＲ中の空気が加湿調整室ＥＲ中へ掻き出される。この回転の際、図示のように風水車１３の周囲には吸収水Ｗの霧状態ミストが形成され、加湿調整室ＥＲ中の空気に充分な水分が含ませられる。
そして、加湿槽１には吸収水Ｗに浸漬される補助ヒータ１８が付設され、この補助ヒータ１８の加熱により、低温時に吸収水Ｗの水温が上昇され、これにより排出室内空気の絶対湿度の上昇が行われ、低温時よりも充分な加湿が行われる。
【００１５】
なお、前記加湿槽１の底部にはドレーンパイプ１９が付設され、吸収した塵埃で汚れた吸収水Ｗが同ドレーンパイプ１９から外部へ排出され、新たな吸収水Ｗに交換される。
【００１６】
図示実施例による除塵加湿装置は、以上のような構造であるから、反動スプレー１５，１６からの噴射水の反動で風水車１３が矢印方向に回転され、同回転運動に伴って室内空気導入室ＳＲ中の空気が加湿調整室ＥＲ中へ掻き出されることになる。
【００１７】
この風水車１３の回転駆動は排出ブロア２による負圧の一部を利用することで行われるから、除塵加湿装置の運転に要する電力コストは、定水位装置８のポンプ、循環ポンプ９及び排出ブロア１２に要する電力消費は約２．５ＫＷ／時程度となるため、従来の蒸気発生シリンダに比較して充分に少ないものとなる。
勿論、本発明による除塵加湿装置は、大電力を消費するヒータを内蔵する高価な蒸気発生シリンダに比較して、はるかに安価に提供できるのは明らかである。
【産業上の利用可能性】
【００１８】
なお、前述した実施例及び従来の説明においては、紙類の保管倉庫について述べたが、例えばポリプロピレン繊維等を取り扱う工場においては、室内空気を約６５％程度に保つ必要があるが、本発明による集塵加湿装置はこのような工場にも設置でき、しかも室内空気を加湿槽1中に導入するだけで湿式集塵装置として機能し、室内空気中の塵埃汚染物質は加湿槽中の吸収水に捕集吸収して回収される。
また、本発明による除塵加湿装置は、スプレーノズル６及び吸収水Ｗによる奪熱効果を期待できるため、夏季においては、通過する室内空気の温度を低下させて空気調和装置の能力補助にも役に立つ。
【図面の簡単な説明】
【００１９】
【図１】本発明による除塵加湿装置の全体図である。
【図２】図１の２−２線に沿う拡大断面図である。
【符号の説明】
【００２０】
Ｗ      吸収水
ＳＲ    室内空気導入室
ＥＲ    加湿調整室
１      加湿槽
５      そらせ板
５ａ    下端部
６      スプレーノズル
９      循環ポンプ
１０    供給側フィルタ
１１    除湿フィルタ
１２    排出ブロア
１３    風水車
１３ａ  スリーブ
１３ｂ  ベーン
１３ｃ  シュラウド
１４    支持軸
１５，１６  反動スプレー
１８    補助ヒータ
【図１】
2006313035.tif 000003
【図２】
2006313035.tif 000004